【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
（ａ）３０ｐｈｒよりも高い量又は３０ｐｈｒに等しい量の少なくとも１種のポリイソプレンゴムと、
（ｂ）７０ｐｈｒよりも低い量又は７０ｐｈｒに等しい量の前記ポリイソプレンゴム（ａ）以外の少なくとも１種のジエンエラストマーポリマーと、
（ｃ）３０ｐｈｒよりも高い量又は３０ｐｈｒに等しい量の少なくとも１種のカーボンブラック強化フィラーと、
（ｄ）少なくとも１種のエチレン性不飽和カルボン酸又はその誘導体と少なくとも１つのポリオキシアルキレン側鎖を含む少なくとも１種のエチレン性不飽和モノマーとの０．２ｐｈｒ〜１０ｐｈｒの量の少なくとも１種のコポリマーと
を含有する架橋性エラストマー組成物を架橋することにより得られる架橋エラストマー材料を含む少なくとも１つの構造要素を含有するタイヤ。
【請求項２】
前記ポリイソプレンゴム（ａ）が、４０ｐｈｒ〜１００ｐｈｒの量で存在している請求項１に記載のタイヤ。
【請求項３】
前記ポリイソプレンゴム（ａ）以外の前記ジエンエラストマーポリマー（ｂ）が、０ｐｈｒ〜６０ｐｈｒの量で存在している請求項１又は２に記載のタイヤ。
【請求項４】
前記カーボンブラック（ｃ）が、４０ｐｈｒ〜１２０ｐｈｒの量で存在している請求項１〜３のいずれか一項に記載のタイヤ。
【請求項５】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、１ｐｈｒ〜５ｐｈｒの量で存在している請求項１〜４のいずれか一項に記載のタイヤ。
【請求項６】
−  それぞれ右側及び左側ビード構造に結合した対向する側縁部を有し、前記ビード構造が少なくとも１つのビードコアと少なくとも１つのビードフィラーとを含有する実質的にトロイダル形状のカーカス構造と、
−  前記カーカス構造に対して半径方向外側の位置に配されたベルト構造と、
−  前記ベルト構造上に放射状に重ね合わされたトレッドバンドと、
−  前記カーカス構造に対して横方向両側に配された一対のサイドウォールと
を含有し、
前記構造要素が、サイドウォールである請求項１〜５のいずれか一項に記載のタイヤ。
【請求項７】
前記構造要素が、サイドウォール・インサートである請求項１〜５のいずれか一項に記載のタイヤ。
【請求項８】
前記構造要素が、トレッド下層である請求項１〜５のいずれか一項に記載のタイヤ。
【請求項９】
前記構造要素が、トレッドベースである請求項１〜５のいずれか一項に記載のタイヤ。
【請求項１０】
前記構造要素が、３ＭＰａ以上の７０℃で測定された動的弾性率（Ｅ’）を有する請求項１〜９のいずれか一項に記載のタイヤ。
【請求項１１】
前記構造要素が、４ＭＰａ〜１０ＭＰａの７０℃で測定された動的弾性率（Ｅ’）を有する請求項１０に記載のタイヤ。
【請求項１２】
前記構造要素が、１２ＭＰａ以下の３００％の伸びでの引張りモジュラス（３００％モジュラス）を有する請求項１〜１１のいずれか一項に記載のタイヤ。
【請求項１３】
前記構造要素が、５ＭＰａ〜９ＭＰａの３００％の伸びでの引張りモジュラス（３００％モジュラス）を有する請求項１２に記載のタイヤ。
【請求項１４】
前記構造要素が、２０以上の２３℃で測定されたＩＲＨＤ硬さを有する請求項１〜１３のいずれか一項に記載のタイヤ。
【請求項１５】
前記構造要素が、５０〜７０の２３℃で測定されたＩＲＨＤ硬さを有する請求項１４に記載のタイヤ。
【請求項１６】
前記ポリイソプレンゴム（ａ）が、天然又は合成ポリイソプレンゴムより選択される請求項１〜１５のいずれか一項に記載のタイヤ。
【請求項１７】
前記ポリイソプレンゴム（ａ）以外の前記ジエンエラストマーポリマー（ｂ）が、２０℃未満のガラス転移温度を有する請求項１〜１６のいずれか一項に記載のタイヤ。
【請求項１８】
前記ジエンエラストマーポリマー（ｂ）が、ポリブタジエン、ハロゲン化されていてもよいイソプレン／イソブテンコポリマー、１，３−ブタジエン／アクリロニトリルコポリマー、スチレン／１，３−ブタジエンコポリマー、スチレン／イソプレン／１，３−ブタジエンコポリマー、スチレン／１，３−ブタジエン／アクリロニトリルコポリマー又はこれらの混合物より選択される請求項１７に記載のタイヤ。
【請求項１９】
前記ジエンエラストマーポリマー（ｂ）が、ポリブタジエンである請求項１８に記載のタイヤ。
【請求項２０】
前記ポリブタジエンが、前記エラストマー架橋性組成物中に３０ｐｈｒ〜７０ｐｈｒの量で存在している請求項１９に記載のタイヤ。
【請求項２１】
前記架橋性エラストマー組成物が、１種以上のモノオレフィンのオレフィンコモノマー又はその誘導体との少なくとも１種のエラストマーポリマー（ｂ’）を更に含有する請求項１〜２０のいずれか一項に記載のタイヤ。
【請求項２２】
前記エラストマーポリマー（ｂ’）が、エチレン／プロピレンコポリマー（ＥＰＲ）又はエチレン／プロピレン／ジエンコポリマー（ＥＰＤＭ）、ポリイソブテン、ブチルゴム、ハロブチルゴム又はこれらの混合物より選択される請求項２１に記載のタイヤ。
【請求項２３】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、下記一般式（Ｉ）：
【化１】
2008539286.tif 000001
（式中、
−  Ｒは水素原子、直鎖又は分岐Ｃ１〜Ｃ４アルキル基を示し、
−  Ｍは１価又は２価カチオンを示し、
−  ｎは両端を含めて０〜２０の整数であり、
−  ｍ及びｐは互いに同一であっても異なっていてもよい、両端を含めて１〜２０の整数であり、
−  Ｙは下記一般式（ＩＩ）、（ＩＩＩ）又は（ＩＶ）：
【化２】
2008539286.tif 000002
を有する基の１つを示し、
式中、
−  Ｒは上記と同義であり、
−  Ｒ’は水素原子、直鎖又は分岐Ｃ１〜Ｃ１０アルキル基、Ｒ”−ＳＯ３Ｍ基を示し、式中、Ｒ”は直鎖又は分岐Ｃ２〜Ｃ１０アルキレン基を示し、Ｍは上記と同義であり、
−  ｑは両端を含めて１〜１０の整数であり、
−  ｓは両端を含めて１〜１００の整数である）
を有する化合物より選択される請求項１〜２２のいずれか一項に記載のタイヤ。
【請求項２４】
一般式（Ｉ）を有する前記化合物において、Ｍは、
−  アルカリ金属カチオン、
−  アルカリ土類金属カチオン、
−  式Ｎ（Ｒ１）４
（式中、Ｒ１基は互いに同一であっても異なっていてもよく、水素原子、直鎖又は分岐Ｃ１〜Ｃ１８アルキル基、Ｃ６〜Ｃ１８アリール基、Ｃ７〜Ｃ２１アリールアルキル又はアルキルアリール基より選択される）
を有するアンモニウムカチオン、
−  亜鉛カチオン
を示す請求項２３に記載のタイヤ。
【請求項２５】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、５００〜１００，０００の重量平均分子量（Ｍｗ）を有する請求項１〜２４のいずれか一項に記載のタイヤ。
【請求項２６】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、１，０００〜５０，０００の重量平均分子量（Ｍｗ）を有する請求項２５に記載のタイヤ。
【請求項２７】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、２，０００〜３０，０００の重量平均分子量（Ｍｗ）を有する請求項２６に記載のタイヤ。
【請求項２８】
前記架橋性エラストマー組成物が、（ｅ）少なくとも１種のポリオキシアルキレングリコールを０ｐｈｒ〜１０ｐｈｒの量で更に含有する請求項１〜２７のいずれか一項に記載のタイヤ。
【請求項２９】
前記ポリオキシアルキレングリコール（ｅ）が、０．５ｐｈｒ〜５ｐｈｒの量で存在している請求項２８に記載のタイヤ。
【請求項３０】
前記ポリオキシアルキレングリコール（ｅ）が、ポリオキシエチレングリコールである請求項２８又は２９に記載のタイヤ。
【請求項３１】
前記架橋性エラストマー組成物が、少なくとも１種の追加の強化フィラー０ｐｈｒ〜１２０ｐｈｒを含有する請求項１〜３０のいずれか一項に記載のタイヤ。
【請求項３２】
前記架橋性エラストマー組成物が、少なくとも１種の追加の強化フィラー２０ｐｈｒ〜９０ｐｈｒを含有する請求項３１に記載のタイヤ。
【請求項３３】
前記追加の強化フィラーが、シリカである請求項３１又は３２に記載のタイヤ。
【請求項３４】
前記架橋性エラストマー組成物が、少なくとも１種のシランカップリング剤を含有する請求項３３に記載のタイヤ。
【請求項３５】
前記シランカップリング剤が、下記一般式（ＶＩ）：
（Ｒ２）３Ｓｉ−ＣｔＨ２ｔ−Ｘ    （ＶＩ）
（式中、基Ｒ２は、互いに同一であっても異なっていてもよく、その基Ｒ２の少なくとも１つがアルコキシ又はアリールオキシ基であるという条件で、アルキル、アルコキシ若しくはアリールオキシ基又はハロゲン原子より選択され、ｔは両端を含めて１〜６の整数であり、Ｘはニトロソ、メルカプト、アミノ、エポキシド、ビニル、イミド、クロロ、−（Ｓ）ｕＣｔＨ２ｔ−Ｓｉ−（Ｒ２）３又は−Ｓ−ＣＯＲ２（ｕ及びｔは両端を含めて１〜６の整数であり、Ｒ２は上記と同義である）より選択される基である）
により特定される少なくとも１つの加水分解性シラン基を有するものより選択される請求項３４に記載のタイヤ。
【請求項３６】
（ａ）３０ｐｈｒよりも高い量又は３０ｐｈｒに等しい量の少なくとも１種のポリイソプレンゴムと、
（ｂ）７０ｐｈｒよりも低い量又は７０ｐｈｒに等しい量の前記ポリイソプレンゴム（ａ）以外の少なくとも１種のジエンエラストマーポリマーと、
（ｃ）３０ｐｈｒよりも高い量又は３０ｐｈｒに等しい量の少なくとも１種のカーボンブラック強化フィラーと、
（ｄ）少なくとも１種のエチレン性不飽和カルボン酸又はその誘導体と少なくとも１つのポリオキシアルキレン側鎖を含む少なくとも１種のエチレン性不飽和モノマーとの０．２ｐｈｒ〜１０ｐｈｒの量の少なくとも１種のコポリマーと
を含有する架橋性エラストマー組成物。
【請求項３７】
前記ポリイソプレンゴム（ａ）が、４０ｐｈｒ〜１００ｐｈｒの量で存在している請求項３６に記載の架橋性エラストマー組成物。
【請求項３８】
前記ポリイソプレンゴム（ａ）以外の前記ジエンエラストマーポリマー（ｂ）が、０ｐｈｒ〜６０ｐｈｒの量で存在している請求項３６又は３７に記載の架橋性エラストマー組成物。
【請求項３９】
前記カーボンブラック（ｃ）が、４０ｐｈｒ〜１２０ｐｈｒの量で存在している請求項３６〜３８のいずれか一項に記載の架橋性エラストマー組成物。
【請求項４０】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、１ｐｈｒ〜５ｐｈｒの量で存在している請求項３６〜３９のいずれか一項に記載の架橋性エラストマー組成物。
【請求項４１】
前記ポリイソプレンゴム（ａ）が、請求項１６に記載のものである請求項３６〜４０のいずれか一項に記載の架橋性エラストマー組成物。
【請求項４２】
前記ポリイソプレンゴム（ａ）以外の前記ジエンエラストマーポリマー（ｂ）が、請求項１７〜２０のいずれか一項に記載のものである請求項３６〜４１のいずれか一項に記載の架橋性エラストマー組成物。
【請求項４３】
１種以上のモノオレフィンのオレフィンコモノマー又はその誘導体との少なくとも１種のエラストマーポリマー（ｂ’）を更に含有する請求項３６〜４２のいずれか一項に記載の架橋性エラストマー組成物。
【請求項４４】
前記エラストマーポリマー（ｂ’）が、請求項２３に記載のものである請求項４３に記載の架橋性エラストマー組成物。
【請求項４５】
少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、請求項２３〜２７のいずれか一項に記載のものである請求項３６〜４４のいずれか一項に記載の架橋性エラストマー組成物。
【請求項４６】
少なくとも１種のポリオキシアルキレングリコール（ｅ）を０ｐｈｒ〜１０ｐｈｒの量で更に含有する請求項３６〜４５のいずれか一項に記載の架橋性エラストマー組成物。
【請求項４７】
前記ポリオキシアルキレングリコール（ｅ）が、０．５ｐｈｒ〜５ｐｈｒの量で存在している請求項４６に記載の架橋性エラストマー組成物。
【請求項４８】
少なくとも１種の追加の強化フィラーが、０ｐｈｒ〜１２０ｐｈｒの量で存在している請求項３６〜４７のいずれか一項に記載の架橋性エラストマー組成物。
【請求項４９】
前記追加の強化フィラーが、シリカである請求項４８に記載の架橋性エラストマー組成物。
【請求項５０】
請求項３５に記載の少なくとも１種のシランカップリング剤が存在している請求項４９に記載の架橋性エラストマー組成物。
【請求項５１】
請求項３６〜５０のいずれか一項に記載の架橋性エラストマー組成物を架橋することにより得られる架橋製品。
【手続補正２】
【補正対象書類名】明細書
【補正対象項目名】００４１
【補正方法】変更
【補正の内容】
【００４１】
１つの好ましい実施形態によれば、少なくとも１種のエチレン性不飽和カルボン酸又はその誘導体と少なくとも１つのポリオキシアルキレン側鎖を含む少なくとも１種のエチレン性不飽和モノマーとの前記コポリマー（ｄ）が、下記一般式（Ｉ）を有する化合物より選択されてもよい。
【化１】
2008539286.tif 000003
式中、
−  Ｒは水素原子、直鎖又は分岐Ｃ１〜Ｃ４アルキル基、好ましくはメチル基を示し、
−  Ｍは好ましくは１価又は２価カチオン、好ましくは、
−  アルカリ金属カチオン、より好ましくはナトリウム又はカリウム、
−  アルカリ土類金属カチオン、より好ましくはカルシウム、
−  式Ｎ（Ｒ１）４
（式中、Ｒ１基は互いに同一であっても異なっていてもよく、水素原子、直鎖又は分岐Ｃ１〜Ｃ１８アルキル基、Ｃ６〜Ｃ１８アリール基、Ｃ７〜Ｃ２１アリールアルキル又はアルキルアリール基より選択される）
を有するアンモニウムカチオン、より好ましくはＮＨ４、
−  亜鉛カチオン
を示し、
−  ｎは、両端を含めて０〜２０、好ましくは１〜１０の整数であり、
−  ｍ及びｐは互いに同一であっても異なっていてもよく、両端を含めて１〜２０、好ましくは２〜１０の整数であり、
−  Ｙは下記一般式（ＩＩ）、（ＩＩＩ）又は（ＩＶ）を有する基の１つを示し、
【化２】
2008539286.tif 000004
式中、
−  Ｒは上記と同義であり、
−  Ｒ’は水素原子、直鎖又は分岐Ｃ１−Ｃ１０アルキル基、好ましくはメチル基、Ｒ”−ＳＯ３Ｍ基、式中、Ｒ”は、直鎖又は分岐Ｃ２−Ｃ１０アルキレン基、好ましくはメチレン基を示し、Ｍは上記と同義であり、
−  ｑは両端を含めて１〜１０、好ましくは１〜５の整数であり、
−  ｓは両端を含めて１〜１００、好ましくは４〜５０の整数である。